(57)【要約】【課題】広範囲に適用可能であるとともに、支持強度が向上したスライドレールアセンブリを提供すること。【解決手段】レール要素のためのブラケット装置はラックに取り付けられるように構成されている。ブラケット装置は、主支持要素と、第１の支持要素と、第２の支持要素と、ブラケットとを含む。主支持要素はレール要素に連結されている。第１の支持要素は主支持要素に対して動かすことが可能である。第２の支持要素は第１の支持要素に対して動かすことが可能である。ブラケットは第２の支持要素に取り付けられると共にラックに取り付けられるように構成されている。【選択図】図１
2017072242.tif 000002
【特許請求の範囲】
【請求項１】
ラックに取り付けられるように構成された、レール要素のためのブラケット装置であって、
前記レール要素に連結されるように構成された主支持要素と、
前記主支持要素に連結されるとともに、前記主支持要素に対して動かすことが可能な第１の支持要素と、
前記第１の支持要素に連結されるとともに、前記第１の支持要素に対して動かすことが可能な第２の支持要素と、
前記第２の支持要素に取り付けられるとともに、前記ラックに取り付けられるように構成されたブラケットと、
を含むブラケット装置。
【請求項２】
前記第１の支持要素と共に動いて前記レール要素を支持するために前記第１の支持要素に連結された支持ベース部をさらに含む、請求項１に記載のブラケット装置。
【請求項３】
前記第１の支持要素は第１の制限部を含み、前記主支持要素は第２の制限部を含み、前記第１の支持要素の第１の制限部は、前記第１の支持要素が前記主支持要素に対して第１の伸長位置に動かされた場合に前記主支持要素の第２の制限部に当接するように構成されている、請求項１に記載のブラケット装置。
【請求項４】
前記主支持要素の第２の制限部は、開口部と、該開口部に隣接する当接壁部とを含み、前記第１の支持要素の第１の制限部は、弾性部分と、該弾性部分に連結された突出部分とを含み、該突出部分は、前記開口部を通じて前記当接壁部に当接するように構成されている、請求項３に記載のブラケット装置。
【請求項５】
前記第１の支持要素は第１のブロッキング部を含み、前記第２の支持要素は第２のブロッキング部を含み、前記第２の支持要素の第２のブロッキング部は、前記第２の支持要素が前記第１の支持要素に対して第２の伸長位置に動かされた場合に前記第１の支持要素の第１のブロッキング部に当接するように構成されている、請求項３に記載のブラケット装置。
【請求項６】
前記主支持要素は、一対の支持壁部と、該一対の支持壁部の間に連結された縦壁部とを有し、該一対の支持壁部と該縦壁部とによって主通路が定義され、前記第１の支持要素の少なくとも一部は該主通路内に配置され、前記第１の支持要素は、一対の第１の支持壁部と、該一対の第１の支持壁部の間に連結された第１の縦壁部とを有し、該一対の第１の支持壁部と該第１の縦壁部とによって支持通路が定義され、前記第２の支持要素の少なくとも一部は該支持通路内に配置されている、請求項１に記載のブラケット装置。
【請求項７】
ラックに取り付けられるように構成された、レール要素のためのブラケット装置であって、
前記レール要素に連結されるように構成されるとともに、主通路を有する主支持要素と、
第１の支持部分と第１の伸長部分とを含む第１の支持要素であって、該第１の支持部分及び該第１の伸長部分は支持通路を有し、前記第１の支持要素が前記主通路に沿って第１の伸長位置に動かされた場合、前記第１の支持要素の第１の伸長部分は前記主支持要素を越えて伸長し、前記第１の支持要素の第１の支持部分は前記主支持要素によって支持される、第１の支持要素と、
第２の支持部分と第２の伸長部分とを含む第２の支持要素であって、該第２の支持要素が前記支持通路に沿って第２の伸長位置に動かされた場合、前記第２の支持要素の第２の伸長部分は前記第１の支持要素の第１の伸長部分を越えて伸長し、前記第２の支持要素の第２の支持部分は前記第１の支持要素の第１の伸長部分及び第１の支持部分によって支持される、第２の支持要素と、
前記第２の支持要素の第２の伸長部分に取り付けられるとともに、前記ラックに取り付けられるように構成されたブラケットと
を含むブラケット装置。
【請求項８】
スライドレールアセンブリであって、
第１の壁部、第２の壁部及び該第１の壁部と該第２の壁部との間に連結された延長壁部を含むレール要素と、
前記レール要素の延長壁部の後ろ側に連結された主支持要素であって、該主支持要素は一対の支持壁部と該一対の支持壁部の間に連結された縦壁部とを有し、該一対の支持壁部と該縦壁部とによって主通路が定義される、主支持要素と、
少なくとも一部が前記主支持要素の主通路内に配置された第１の支持要素であって、該第１の支持要素は一対の第１の支持壁部と該一対の第１の支持壁部の間に連結された第１の縦壁部とを有し、該一対の第１の支持壁部と該第１の縦壁部とによって支持通路が定義される、第１の支持要素と、
少なくとも一部が前記第１の支持要素の支持通路内に配置された第２の支持要素であって、該第２の支持要素は一対の第２の支持壁部と該一対の第２の支持壁部の間に連結された第２の縦壁部とを有する、第２の支持要素と、
を含むスライドレールアセンブリ。
【請求項９】
前記第２の支持要素に取り付けられるとともに、ラックに取り付けられるように構成されたブラケットをさらに含む、請求項８に記載のスライドレールアセンブリ。
【請求項１０】
前記第１の支持要素に連結された支持ベース部をさらに含み、該支持ベース部は、前記第１の支持要素と共に動いて前記レール要素を支持するために、前記レール要素の第１の壁部及び第２の壁部のうちの１つを保持する少なくとも１つの支持機構を含む、請求項８に記載のスライドレールアセンブリ。
【発明の詳細な説明】
【技術分野】
【０００１】
本発明はスライドレールアセンブリ及びブラケット装置に関し、より具体的には調節可能なブラケット装置を含むスライドレールアセンブリに関する。
【背景技術】
【０００２】
一般に、ラックマウント型サーバー等のラックマウント型の電子機器は、一対のスライドレールアセンブリを用いてラックに取り付けることができる。各スライドレールアセンブリは、２つのブラケットによってラックの２つの柱に取り付けできる。様々な市場の要求を満たすために、ブラケットの位置を調節可能な製品が開発されている。関連特許、例えば特許文献１には、スライドアセンブリのための調節可能なブラケットが開示されている。調節可能なブラケットは、固定ベース部（３０）を通じてスライドアセンブリ（１０）に配置されている。深さの異なるラックにフィットするために、スライド部材（５０）に連結された固定部材（７０）をスライド部材（５０）の位置調節に応じて様々な距離で離間された２つの柱（post）に適合させるために、スライド部材（５０）は固定ベース部（３０）に対して動かすことができる。
【０００３】
図８に示すように、先行技術のスライドレールアセンブリ１００はレール要素１０２、ベース部１０４、スライド要素１０６及びブラケット１０８を含む。ベース部１０４はレール要素１０２に連結されている。スライド要素１０６はブラケット１０８に連結されている。図９に示すように、スライド要素１０６の動きに応じてブラケット１０８をラックのポスト（図示せず）に取り付けることができるように、スライド要素１０６はベース部（１０４）に対して伸長位置Ｐに作動的に（operatively）動かすことができる。スライド要素１０６が伸長位置Ｐに位置している場合、スライド要素１０６の伸長部分１１０はベース部の端部１１２を越えて伸長しており、全長がＬであるスライド要素１０６の支持部分１１４はベース部１０４だけで支持されている。従って、関連技術ではスライドレールアセンブリの支持強度が重要なテーマとなっている。
【先行技術文献】
【特許文献】
【０００４】
【特許文献１】米国特許第８０２８９６５号明細書
【発明の概要】
【課題を解決するための手段】
【０００５】
本発明は調節可能なブラケット装置に関する。
【０００６】
本発明の一実施形態によれば、レール要素のためのブラケット装置はラックに取り付けられるように構成されている。ブラケット装置は、主支持要素と、第１の支持要素と、第２の支持要素と、ブラケットとを含む。前記主支持要素は、前記レール要素に連結されるように構成されている。前記第１の支持要素は、前記主支持要素に連結されるととともに、前記主支持要素に対して動かすことが可能である。前記第２の支持要素は、前記第１の支持要素に連結されるととともに、前記第１の支持要素に対して動かすことが可能である。前記ブラケットは前記第２の支持要素に取り付けられるととともに、前記ラックに取り付けられるように構成されている。
【０００７】
上記の実施形態によれば、ブラケット装置は、前記第１の支持要素と共に動いて前記レール要素を支持するために前記第１の支持要素に連結された支持ベース部をさらに含む。
【０００８】
上記の実施形態によれば、前記第１の支持要素は第１の制限部（limiting  part）を含む。前記主支持要素は第２の制限部を含む。前記第１の支持要素の第１の制限部は、前記第１の支持要素が前記主支持要素に対して第１の伸長位置に動かされた場合に前記主支持要素の第２の制限部に当接するように構成されている。
【０００９】
好ましくは、前記主支持要素の第２の制限部は、開口部と、該開口部に隣接する当接壁部とを含み、前記第１の支持要素の第１の制限部は、弾性部分と、該弾性部分に連結された突出部分とを含む。前記突出部分は、前記開口部を通じて前記当接壁部に当接するように構成されている。
【００１０】
好ましくは、前記第１の支持要素は第１のブロッキング部（blocking  part）を含む。前記第２の支持要素は第２のブロッキング部を含み、前記第２の支持要素の第２のブロッキング部は、前記第２の支持要素が前記第１の支持要素に対して第２の伸長位置に動かされた場合に前記第１の支持要素の第１のブロッキング部に当接するように構成されている。
【００１１】
上記の実施形態によれば、前記主支持要素は、一対の支持壁部と、該一対の支持壁部の間に連結された縦壁部（longitudinal  wall）とを有する。該一対の支持壁部と該縦壁部とによって主通路（main  passage）が定義されている。前記第１の支持要素の少なくとも一部は該主通路内に配置されている。前記第１の支持要素は、一対の第１の支持壁部と、該一対の第１の支持壁部の間に連結された第１の縦壁部とを有する。該一対の第１の支持壁部と該第１の縦壁部とによって支持通路（supporting  passage）が定義されている。前記第２の支持要素の少なくとも一部は該支持通路内に配置されている。
【００１２】
本発明の別の実施形態によれば、レール要素のためのブラケット装置はラックに取り付けられるように構成されている。ブラケット装置は、主支持要素と、第１の支持要素と、第２の支持要素と、ブラケットとを含む。前記主支持要素は、前記レール要素に連結されるように構成されている。前記主支持要素は主通路を有する。前記第１の支持要素は、第１の支持部分と第１の伸長部分とを含む。該第１の支持部分及び該第１の伸長部分は支持通路を有する。前記第１の支持要素が前記主通路に沿って第１の伸長位置に動かされた場合、前記第１の支持要素の第１の伸長部分は前記主支持要素を越えて伸長し、前記第１の支持要素の第１の支持部分は前記主支持要素によって支持される。前記第２の支持要素は、第２の支持部分と、第２の伸長部分とを含む。該第２の支持要素が前記支持通路に沿って第２の伸長位置に動かされた場合、前記第２の支持要素の第２の伸長部分は前記第１の支持要素の第１の伸長部分を越えて伸長し、前記第２の支持要素の第２の支持部分は前記第１の支持要素の第１の伸長部分及び第１の支持部分によって支持される。前記ブラケットは、前記第２の支持要素の第２の伸長部分に取り付けられるととともに、前記ラックに取り付けられるように構成されている。
【００１３】
本発明の別の実施形態によれば、スライドレールアセンブリは、レール要素と、主支持要素と、第１の支持要素と、第２の支持要素とを含む。前記レール要素は、第１の壁部、第２の壁部及び該第１の壁部と該第２の壁部との間に連結された延長壁部（extension  wall）を含む。前記主支持要素は前記レール要素の延長壁部の後ろ側に連結されている。前記主支持要素は一対の支持壁部と該一対の支持壁部の間に連結された縦壁部とを有する。該一対の支持壁部と該縦壁部とによって主通路が定義される。前記第１の支持要素はその少なくとも一部が前記主支持要素の主通路内に配置されている。前記第１の支持要素は、一対の第１の支持壁部と該一対の第１の支持壁部の間に連結された第１の縦壁部とを有する。該一対の第１の支持壁部と該第１の縦壁部とによって支持通路が定義される。前記第２の支持要素はその少なくとも一部が前記第１の支持要素の支持通路内に配置されている。前記第２の支持要素は一対の第２の支持壁部と該一対の第２の支持壁部の間に連結された第２の縦壁部とを有する。
【００１４】
本発明のスライドレールアセンブリの上記の実施形態によれば、スライドレールアセンブリは、前記第１の支持要素に連結された支持ベース部をさらに含む。該支持ベース部は、前記第１の支持要素と共に動いて前記レール要素を支持するために、前記レール要素の第１の壁部及び第２の壁部のうちの１つを保持する少なくとも１つの支持機構（supporting  feature）を含む。
【００１５】
様々な図面に図示する好ましい実施形態の下記の詳細な説明を読み終えた後、本発明の上記の目的及び他の目的が当業者に間違いなく明らかになる。
【図面の簡単な説明】
【００１６】
【図１】図１は、本発明の一実施形態に係るスライドレールアセンブリのブラケット装置の分解図である。
【図２】図２は、本発明の一実施形態に係る、ブラケット装置の第１のブラケット及び第２のブラケットによってラックに取り付けられたスライドレールアセンブリを示す図である。
【図３】図３は、本発明の一実施形態に係る、ブラケット装置の第１のブラケット及び第２のブラケットによって深さがより深い別のラックに取り付けられたスライドレールアセンブリを示す図である。
【図４】図４は、本発明の一実施形態に係る、互いに当接するように構成された制限部を有するブラケット装置の主支持要素及び第１の支持要素と、互いに当接するように構成されたブロッキング部を有するブラケット装置の第１の支持要素及び第２の支持要素とを示す図である。
【図５】図５は、図８の先行技術のブラケットと同じ位置に調節された本発明のブラケットを示す図である。
【図６】図６は、図９の先行技術のブラケットと同じ位置に調節された本発明のブラケットを示す図である。
【図７】図７は、図３の線７−７に沿った断面図である。
【図８】図８は、ある位置に調節された先行技術のスライドレールアセンブリのブラケットを示す図である。
【図９】図９は、別の位置に調節された先行技術のスライドレールアセンブリのブラケットを示す図である。
【発明を実施するための形態】
【００１７】
図１は、本発明の一実施形態に係る、スライドレールアセンブリ１２のレール要素１４に適用可能なブラケット装置１０を示す図である。レール要素１４は第１のブラケット１６に連結されることが好ましい。ブラケット装置１０は主支持要素１８、第１の支持要素２０、第２の支持要素２２及び第２のブラケット２４を含む。主支持要素１８はレール要素１４に連結（例えば固定連結）されている。主支持要素１８は長手方向に主通路２６を有する。第１の支持要素２０の少なくとも一部が主支持要素１８の主通路２６内に配置される。第１の支持要素２０は長手方向に支持通路２８を有する。第２の支持要素２２の少なくとも一部が第１の支持要素２０の支持通路２８内に配置される。第２のブラケット２４は第２の支持要素２２に取り付けられる。ブラケット装置１０は、第１の支持要素２０に連結（例えば固定連結）される支持ベース部３０をさらに含むことが好ましい。第１の支持要素２０は第１の制限部３２を含み、主支持要素１８は第２の制限部３４を含み、第１の支持要素２０は第１のブロッキング部３６をさらに含み、第２の支持要素２２は第２のブロッキング部３８を含む。
【００１８】
図２に示すように、スライドレールアセンブリ１２は、第１のブラケット１６及び第２のブラケット２４によってラック４０の第１の柱４２ａ及び第２の柱４２ｂに取り付けられている。支持ベース部３０はレール要素１４を支持するように構成されている。第１の柱４２ａと第２の柱４２ｂとは第１の距離Ｄ１離れている。
【００１９】
図３に示すように、第１の柱４２ａと第２の柱４２ｂとが、第１の距離Ｄ１よりも長い第２の距離Ｄ２離れている場合、レール要素１４を支持するために、支持ベース部３０を第１の支持要素２０と共にレール要素１４に対して動かすことができるように、第１の支持要素２０は、主支持要素１８に対して主通路２６に沿って長手方向に作動的に動かすことができる。さらに、第２の支持要素２２は、第２のブラケット２４を第２の柱４２ｂに取り付けることができるように、第１の支持要素２０に対して支持通路２８に沿って長手方向に作動的に動かすことができる。
【００２０】
図４に示すように、主支持要素１８の第２の制限部３４は開口部４４と、開口部４４に隣接する当接壁部４６とを含む。第１の支持要素２０の第１の制限部３２は弾性部分４８と、弾性部分４８に連結された突出部分５０とを含む。第１の支持要素２０が主支持要素１８に対して第１の伸長位置Ｐ１に動かされた場合、第１の支持要素２０の第１の制限部３２は主支持要素１８の第２の制限部３４に当接する。第１の支持要素２０の第１の制限部３２の突出部分５０は、第２の制限部３４の開口部４４を通じて当接壁部４６に当接するように構成されていることが好ましい。他方、第２の支持要素２２が第１の支持要素２０に対して第２の伸長位置Ｐ２に動かされた場合、第２の支持要素２２の第２のブロッキング部３８は第１の支持要素２０の第１のブロッキング部３６に当接する。この実施形態では、第１のブロッキング部３６及び第２のブロッキング部３８は例えば突起である。
【００２１】
図５に示すように、本発明のスライドレールアセンブリが図８に示す先行技術のスライドレールアセンブリと同じ長さを有する状態になるように第１の支持要素２０及び第２の支持要素２２が主支持要素１８に対して調節される。第２の支持要素２２の支持により、本発明のスライドレールアセンブリの支持強度は、図８に示す先行技術のスライドレールアセンブリの支持強度よりも大きい。
【００２２】
図６に示すように、第１の支持要素２０は第１の支持部分５２と、第１の支持部分５２に連結された第１の伸長部分５４とを含む。第１の支持要素２０が主支持要素１８の主通路２６に沿って第１の伸長位置Ｐ１に動かされると、第１の支持要素２０の第１の伸長部分５４は主支持要素１８の端部５６を越えて伸長し、第１の支持要素２０の第１の支持部分５２は主支持要素１８によって支持される。他方で、第２の支持要素２２は第２の支持部分５８と、第２の支持部分５８に連結された第２の伸長部分６０とを含む。第２の支持要素２２が第１の支持要素２０の支持通路２８に沿って第２の伸長位置Ｐ２に動かされると、第２の支持要素２２の第２の伸長部分６０は第１の支持要素２０の第１の伸長部分５４の端部６２を越えて伸長し、第２の支持要素２２の第２の支持部分５８は第１の支持要素２０の第１の伸長部分５４及び第１の支持部分５２によって支持される。即ち、第２の支持要素２２が第２の伸長位置Ｐ２に位置している場合、全長がＬ１である第２の支持要素２２の第２の支持部分５８は、第１の支持要素２０の第１の支持部分５２を通じて主支持要素１８によって支持されるだけでなく、第１の支持要素２０の第１の伸長部分５４によっても同時に支持される。第２のブラケット２４は、第２の支持要素２２の第２の伸長部分６０に取り付けられている。図６に示す本発明のスライドレールアセンブリと図９に示す先行技術のスライドレールアセンブリとを比較した場合、双方のスライドレールアセンブリを同じ長さに伸長させたときに、本発明では、より安定した支持を提供するために、先行技術の支持距離Ｌよりも長い支持距離Ｌ１を有する。それに加えて、図９に示す先行技術のブラケットとは対照的に、本発明のブラケット装置１０は、深さがより深いラックの２つの柱（図示せず）の間に本発明のスライドレールアセンブリを取り付けることができるようにさらに伸長可能である。即ち、本発明は、先行技術よりも広範囲に適用できる。
【００２３】
図７は、本発明の一実施形態に係るスライドレールアセンブリ１２のレール要素１４を示す図である。レール要素１４は、第１の壁部６４ａと、第２の壁部６４ｂと、第１の壁部６４ａ及び第２の壁部６４ｂの間に連結された延長壁部６６とを含む。スライドレールアセンブリ１２は、レール要素１４に対して動かすことができる２つのレール要素６８、７０をさらに含む。主支持要素１８は、レール要素１４の延長壁部６６の後ろ側７２（２つのレール要素６８、７０とは異なる側）に連結されている。
【００２４】
主支持要素１８は、一対の支持壁部７４ａ、７４ｂと、一対の支持壁部７４ａ、７４ｂの間に連結された縦壁部７６とを有する。主通路２６は、一対の支持壁部７４ａ、７４ｂと縦壁部７６とによって定義される。支持壁部７４ａ、７４ｂのそれぞれは第１の屈曲部７８を有する。
【００２５】
第１の支持要素２０の少なくとも一部は主通路２６内に配置される。第１の支持要素２０は、一対の第１の支持壁部８０ａ、８０ｂと、一対の第１の支持壁部８０ａ、８０ｂの間に連結された第１の縦壁部８２とを有する。一対の第１の支持壁部８０ａ、８０ｂは一対の支持壁部７４ａ、７４ｂに対応し、第１の縦壁部８２は縦壁部７６に対応する。支持通路２８は一対の第１の支持壁部８０ａ、８０ｂ及び第１の縦壁部８２によって定義される。第１の支持壁部８０ａ、８０ｂのそれぞれは第２の屈曲部８４を有する。第２の屈曲部８４は第１の屈曲部７８に対応する。
【００２６】
第２の支持要素２２の少なくとも一部は支持通路２８内に配置される。第２の支持要素２２は一対の第２の支持壁部８６ａ、８６ｂと、一対の第２の支持壁部８６ａ、８６ｂの間に連結された第２の縦壁部８８とを有する。一対の第２の支持壁部８６ａ、８６ｂは一対の第１の支持壁部８０ａ、８０ｂに対応する。
【００２７】
支持ベース部３０は、レール要素１４を支持するため第１の支持要素２０と共に動くために第１の支持要素２０に連結されている。支持ベース部３０は、レール要素１４の第１の壁部６４ａ及び第２の壁部６４ｂを保持するように構成された一対の支持機構９０ａ、９０ｂ等の少なく１つの支持機構を含む。
【００２８】
当業者であれば、本発明の教示を保ちながら多くの変更及び修正が装置及び方法に加えられ得ることに容易に気付く。従って、上記の開示は、添付の請求項の範囲によってのみ限定されるものと解釈すべきである。
【符号の説明】
【００２９】
１０  ブラケット装置
１２  スライドレールアセンブリ
１４  レール要素
１６  第１のブラケット
１８  主支持要素
２０  第１の支持要素
２２  第２の支持要素
２４  第２のブラケット
２６  主通路
２８  支持通路
３０  支持ベース部
３２  第１の制限部
３４  第２の制限部
３６  第１のブロッキング部
３８  第２のブロッキング部
４０  ラック
４２ａ  第１の柱
４２ｂ  第２の柱
４４  開口部
４６  当接壁部
４８  弾性部分
５０  突出部分
【図１】
2017072242.tif 000003
【図２】
2017072242.tif 000004
【図３】
2017072242.tif 000005
【図４】
2017072242.tif 000006
【図５】
2017072242.tif 000007
【図６】
2017072242.tif 000008
【図７】
2017072242.tif 000009
【図８】
2017072242.tif 000010
【図９】
2017072242.tif 000011
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
ラックに取り付けられるように構成された、レール要素のためのブラケット装置であって、
前記レール要素に連結されるように構成された主支持要素と、
前記主支持要素に連結されるとともに、前記主支持要素に対して動かすことが可能な第１の支持要素と、
前記第１の支持要素に連結されるとともに、前記第１の支持要素に対して動かすことが可能な第２の支持要素と、
前記第２の支持要素に取り付けられるとともに、前記ラックに取り付けられるように構成されたブラケットと、
を含むブラケット装置。
【請求項２】
前記第１の支持要素と共に動いて前記レール要素を支持するために前記第１の支持要素に連結された支持ベース部をさらに含む、請求項１に記載のブラケット装置。
【請求項３】
前記第１の支持要素は第１の制限部を含み、前記主支持要素は第２の制限部を含み、前記第１の支持要素の第１の制限部は、前記第１の支持要素が前記主支持要素に対して第１の伸長位置に動かされた場合に前記主支持要素の第２の制限部に当接するように構成されている、請求項１に記載のブラケット装置。
【請求項４】
前記主支持要素の第２の制限部は、開口部と、該開口部に隣接する当接壁部とを含み、前記第１の支持要素の第１の制限部は、弾性部分と、該弾性部分に連結された突出部分とを含み、該突出部分は、前記開口部を通じて前記当接壁部に当接するように構成されている、請求項３に記載のブラケット装置。
【請求項５】
前記第１の支持要素は第１のブロッキング部を含み、前記第２の支持要素は第２のブロッキング部を含み、前記第２の支持要素の第２のブロッキング部は、前記第２の支持要素が前記第１の支持要素に対して第２の伸長位置に動かされた場合に前記第１の支持要素の第１のブロッキング部に当接するように構成されている、請求項３に記載のブラケット装置。
【請求項６】
前記主支持要素は、一対の支持壁部と、該一対の支持壁部の間に連結された縦壁部とを有し、該一対の支持壁部と該縦壁部とによって主通路が定義され、前記第１の支持要素の少なくとも一部は該主通路内に配置され、前記第１の支持要素は、一対の第１の支持壁部と、該一対の第１の支持壁部の間に連結された第１の縦壁部とを有し、該一対の第１の支持壁部と該第１の縦壁部とによって支持通路が定義され、前記第２の支持要素の少なくとも一部は該支持通路内に配置されている、請求項１に記載のブラケット装置。
【請求項７】
ラックに取り付けられるように構成された、レール要素のためのブラケット装置であって、
前記レール要素に連結されるように構成されるとともに、主通路を有する主支持要素と、
第１の支持部分と第１の伸長部分とを含む第１の支持要素であって、該第１の支持部分及び該第１の伸長部分は支持通路を有し、前記第１の支持要素が前記主通路に沿って第１の伸長位置に動かされた場合、前記第１の支持要素の第１の伸長部分は前記主支持要素を越えて伸長し、前記第１の支持要素の第１の支持部分は前記主支持要素によって支持される、第１の支持要素と、
第２の支持部分と第２の伸長部分とを含む第２の支持要素であって、該第２の支持要素が前記支持通路に沿って第２の伸長位置に動かされた場合、前記第２の支持要素の第２の伸長部分は前記第１の支持要素の第１の伸長部分を越えて伸長し、前記第２の支持要素の第２の支持部分は前記第１の支持要素の第１の伸長部分及び第１の支持部分によって支持される、第２の支持要素と、
前記第２の支持要素の第２の伸長部分に取り付けられるとともに、前記ラックに取り付けられるように構成されたブラケットと
を含むブラケット装置。
【請求項８】
スライドレールアセンブリであって、
第１の壁部、第２の壁部及び該第１の壁部と該第２の壁部との間に連結された延長壁部を含むレール要素と、
前記レール要素の延長壁部の後ろ側に連結された主支持要素であって、該主支持要素は一対の支持壁部と該一対の支持壁部の間に連結された縦壁部とを有し、該一対の支持壁部と該縦壁部とによって主通路が定義される、主支持要素と、
少なくとも一部が前記主支持要素の主通路内に配置された第１の支持要素であって、該第１の支持要素は一対の第１の支持壁部と該一対の第１の支持壁部の間に連結された第１の縦壁部とを有し、該一対の第１の支持壁部と該第１の縦壁部とによって支持通路が定義される、第１の支持要素と、
少なくとも一部が前記第１の支持要素の支持通路内に配置された第２の支持要素であって、該第２の支持要素は一対の第２の支持壁部と該一対の第２の支持壁部の間に連結された第２の縦壁部とを有する、第２の支持要素と、
前記第２の支持要素に取り付けられるとともに、ラックに取り付けられるように構成されたブラケットと、
を含むスライドレールアセンブリ。
【請求項９】
前記第１の支持要素に連結された支持ベース部をさらに含み、該支持ベース部は、前記第１の支持要素と共に動いて前記レール要素を支持するために、前記レール要素の第１の壁部及び第２の壁部のうちの１つを保持する少なくとも１つの支持機構を含む、請求項８に記載のスライドレールアセンブリ。